(57)【要約】【課題】昇降棚と昇降索との連結作業が容易な昇降収納装置を提供する。【解決手段】本発明の昇降収納装置は、下方に開口した外側ケース１と、この外側ケース１に対して昇降自在に設けられ、上昇時に外側ケース１内に収納され且つ下降時に収納物を出し入れ可能な状態となる昇降棚２と、回転駆動源３１に連結された昇降索４を介して昇降棚２を昇降させる駆動装置３とを備えている。昇降索４における回転駆動源３１側とは反対側の端部が前記外側ケース１内の上部に固定されている。昇降棚２の上部には、前記昇降索４の長手方向の中間部分に掛けられる支持体６が固定されている。回転駆動源３１により前記昇降索４が巻き取られると、支持体６が上昇する。また、昇降索４が巻き戻されると、支持体６が下降する。【選択図】図１
2014226508.tif 000002
【特許請求の範囲】
【請求項１】
下方に開口した外側ケースと、
この外側ケースに対して昇降自在に設けられ、上昇時に外側ケース内に収納され且つ下降時に収納物を出し入れ可能な状態となる昇降棚と、
回転駆動源に連結された昇降索を介して昇降棚を昇降させる駆動装置と
を備えた昇降収納装置であって、
前記昇降索における回転駆動源側とは反対側の端部が前記外側ケース内の上部に固定され、
前記昇降棚の上部には、前記昇降索の長手方向の中間部分に掛けられる支持体が固定され、
前記回転駆動源により前記昇降索が巻き取られると前記支持体が上昇し、前記昇降索が巻き戻されると前記支持体が下降するように構成されている
ことを特徴とする昇降収納装置。
【請求項２】
前記昇降索はベルトであり、
前記支持体は、
前記ベルト上を転動するプーリーと、
このプーリーを回転自在に支持し前記昇降棚に固定されるブラケットと
を備えている
ことを特徴とする請求項１記載の昇降収納装置。
【請求項３】
前記昇降棚に固定された前記支持体は、前記昇降索と前記昇降棚との間の距離を調整可能な高さ調整機構を備えている
ことを特徴とする請求項１または請求項２に記載の昇降収納装置。
【発明の詳細な説明】
【技術分野】
【０００１】
本発明は、昇降収納装置に関する。
【背景技術】
【０００２】
特許文献１には、従来の昇降収納装置が開示されている。この特許文献１記載の昇降収納装置は、電動昇降食器乾燥機である。この電動昇降食器乾燥機は、下方に開口する外部ケースと、この外部ケース内に昇降自在に格納される棚部とを備えている。外部ケース内には、駆動モータが設けられている。この駆動モータには昇降索が連結されている。昇降索における駆動モータ側とは反対側の端部には、棚部の上部が連結されている。この昇降索は、棚部の上部に左右で対となるように設けられている。
【０００３】
この電動昇降食器乾燥機は、駆動モータが回転することで、棚部が昇降するように構成されている。
【先行技術文献】
【特許文献】
【０００４】
【特許文献１】特開２００２−１０２１３８号公報
【発明の概要】
【発明が解決しようとする課題】
【０００５】
ところで、この種の電動昇降食器乾燥機において、棚部と昇降索との連結は、図８に示すようなブラケットを介して連結されることが多い。
【０００６】
ブラケットは、図８に示すように、固定金具８１と、逆Ｌ字状の側壁部６８と、底部と側壁部６８との間に架設された軸部６９とを備えている。固定金具８１は、軸部６９に取り付けられている。固定金具８１には、スリット状の開口８２が設けられている。
【０００７】
昇降索の端部は、スリット状の開口８２に上方から差し込まれ、当該開口８２の下方で抜け止めされることで、固定金具８１に固定される。
【０００８】
しかしながら、このブラケットを用いて、昇降索を棚部に固定するに当たって、次のような問題があった。
【０００９】
すなわち、従来の電動昇降食器乾燥機では、棚部に固定されたブラケットにおいて、固定金具８１と側壁部６８と底部とで囲まれた部分（以下、ブラケットの内部）で抜け止め作業を行なう必要がある。つまり、ブラケットの内部での昇降索の端部の固定作業が容易ではなかった。
【００１０】
本発明は、上記事情に鑑みてなされたものであり、その目的とするところは、昇降棚と昇降索との連結作業が容易な昇降収納装置を提供することにある。
【課題を解決するための手段】
【００１１】
本発明の昇降収納装置は、下方に開口した外側ケースと、この外側ケースに対して昇降自在に設けられ、上昇時に外側ケース内に収納され且つ下降時に収納物を出し入れ可能な状態となる昇降棚と、回転駆動源に連結された昇降索を介して昇降棚を昇降させる駆動装置とを備えた昇降収納装置であって、前記昇降索における回転駆動源側とは反対側の端部が前記外側ケース内の上部に固定され、前記昇降棚の上部には、前記昇降索の長手方向の中間部分に掛けられる支持体が固定され、前記回転駆動源により前記昇降索が巻き取られると前記支持体が上昇し、前記昇降索が巻き戻されると前記支持体が下降するように構成されていることを特徴とする。
【００１２】
またこの昇降収納装置において、前記昇降索はベルトであり、前記支持体は、前記ベルト上を転動するプーリーと、このプーリーを回転自在に支持し前記昇降棚に固定されるブラケットとを備えていることが好ましい。
【００１３】
またこの昇降収納装置において、前記昇降棚に固定された前記支持体は、前記昇降索と前記昇降棚との間の距離を調整可能な高さ調整機構を備えていることが好ましい。
【発明の効果】
【００１４】
本発明の昇降収納装置によれば、昇降棚を昇降させる昇降索の駆動源側とは反対側の端部が、棚部に固定されたブラケットとは異なる箇所で固定することができ、昇降棚と昇降索との連結作業を容易にすることができる。
【図面の簡単な説明】
【００１５】
【図１】本実施形態の前板を取り外した状態の昇降収納棚の正面図である。
【図２】図１におけるＡ−Ａ線断面図である。
【図３】本実施形態の昇降棚が収納された状態の要部斜視図である。
【図４】本実施形態の固定体の斜視図である。
【図５】本実施形態の昇降棚が収納された状態の正面から見た要部断面図である。
【図６】本実施形態の支持体の斜視図である。
【図７】本実施形態の支持体の図６とは別の角度から見た斜視図である。
【図８】従来のブラケットの参考斜視図である。
【発明を実施するための形態】
【００１６】
以下、本発明の実施形態について添付図面に基づいて説明する。
【００１７】
本実施形態の昇降収納装置は、例えば、キッチンに設置されて使用される。昇降収納装置は、キッチンに設置される場合、例えば、厨房装置の上部キャビネットとして用いられたり、天井や壁等に設置されて単独で用いられたりする。本実施形態の昇降収納装置は、図１に示すように、外側ケース１と、昇降棚２と、駆動装置３とを備えている。
【００１８】
外側ケース１は、昇降収納装置の外郭を形成する。外側ケース１は、前板１１・後板１２・右側板１３・左側板１４・天板１５を有しており、下方に開口した箱形状をしている。外側ケース１は、天井や壁等の取付面に固定される。なお、外側ケース１の前板１１は、取り外し可能となっている。これにより、駆動装置３の取付施工や、メンテナンスが容易にできるように構成されている。
【００１９】
昇降棚２は、外側ケース１の内部に収納される。昇降棚２は、外側ケース１に対して昇降自在となっている。昇降棚２は、移動軌跡の上端において外側ケース１内に収納され、移動軌跡の下端において内部に収納物を出し入れ可能な状態となる。言い換えると、昇降棚２は、上昇時に外側ケース１内に収納され、且つ下降時に収納物を出し入れ可能な状態となるように構成されている。
【００２０】
昇降棚２は、上板２１・背板２２・右板２３・左板２４・底板２５を有しており、前方に開口した箱形状をしている。昇降棚２の内部には棚部２６が設けられている。昇降棚２の内部は、棚部２６によって上下に仕切られている。これにより、昇降棚２の内部には、食器等の収納物を収納することができる。なお、棚部２６は、棚板であってもよいし、網状のかごであってもよい。
【００２１】
また、昇降棚２の底板２５の下面は、昇降棚２の収納状態において、外側ケース１の下端面と面一となる。つまり、昇降棚２は、外側ケース１内に収納されている状態で、すべてが外側ケース１内に格納される。なお、昇降棚２は、外側ケース１内に収納されている状態において、下端部の一部が突出していてもよく、全てが外側ケース１内に入り込んでいなくてもよい。
【００２２】
昇降棚２の上板２１は、昇降棚２の収納状態において、外側ケース１の天板１５とは離間している。昇降棚２の収納状態における、昇降棚２の上板２１と外側ケース１の天板１５との間のスペースには、駆動装置３が配置される。
【００２３】
駆動装置３は、回転駆動源３１と、昇降索４と、外側ケース１に取り付けられる固定体５と、昇降棚２に取り付けられる支持体６とを備えている。駆動装置３は、昇降索４を介して昇降棚２を昇降自在に駆動させる。
【００２４】
回転駆動源３１は、回転軸を有しており、この回転軸に昇降索４が連結される。回転駆動源３１は、昇降索４を巻き取り・繰り出し自在とするように回転駆動するものである。回転駆動源３１は、電気・空気・油等の供給を受けて駆動するか、又は手動で駆動する。回転駆動源３１としては、例えば、電動モータや油圧モータや空気圧モータ等のモータが用いられる。なお、本実施形態の回転駆動源３１は、電動モータにより構成されている。
【００２５】
回転駆動源３１は、外側ケース１の天板１５の下面に固定される。回転駆動源３１は、回転軸の軸芯が前後方向に平行となるように、天板１５の下面に取り付けられる。
【００２６】
昇降索４は、ベルトや、ワイヤーや、チェーンなどの長尺な部材により構成される。なお、本実施形態の昇降索４はベルトにより構成されている。本実施形態の駆動装置３は、昇降索４として、右側索４１と、左側索４２とを備えている。右側索４１と左側索４２とは、図２に示すように、回転軸上では、前後方向にずれて連結されている。この右側索４１と左側索４２とは、回転軸が正方向に回転すると、いずれも回転軸に巻き取られる。また、右側索４１と左側索４２とは、回転軸に巻き取られた状態で回転軸が逆方向に回転すると、いずれも巻き戻される。
【００２７】
昇降索４は、図１に示すように、長手方向の端部である第一端４３と、この第一端４３とは反対側の端部である第二端４４とを備えている。昇降索４の第一端４３は、上述のように、回転駆動源３１の回転軸に連結される。また、昇降索４の第二端４４には、図３に示すように、連結孔４５が設けられている。昇降索４の第二端４４は、この連結孔４５を介して固定体５に連結される。なお、この連結孔４５は、昇降索４の先端が折り返されて、当該先端が昇降索４の他の部分に縫合されることで形成されている。
【００２８】
固定体５は、図１に示すように、外側ケース１内の上部に固定されている。より具体的に言うと、固定体５は、外側ケース１の天板１５の下面に固定される。固定体５は、天板１５の左右方向の両端部にそれぞれ取り付けられる。固定体５は、図４に示すように、本体部５０と、プーリー５７とを備えている。なお、固定体５は、外側ケース１の天板１５に限らず、左側板１４・右側板１３の上部に固定されてもよい。
【００２９】
本体部５０は、天板１５に固定される横面部５１と、横面部５１の前後方向の両端部から下方に延出する立面部５３とを備えている。横面部５１には固着具挿通孔５２が穿設されている。横面部５１は、この固着具挿通孔５２に挿入された固着具を介して、天板１５に固定される。対向する各立面部５３には、互いに連通する貫通孔５４が設けられている。この貫通孔５４には、図３に示すように、シャフト５５が挿入される。シャフト５５は、貫通孔５４・昇降索４の連結孔４５・貫通孔５４の順に入り込み、これにより、昇降索４の第二端４４を固定体５に連結する。なお、貫通孔５４と連結孔４５とに挿入された状態のシャフト５５には、抜け止めピン５６が取り付けられる。
【００３０】
プーリー５７は、本体部５０に回転自在に軸支されている。プーリー５７は、本体部５０の立面部５３同士に架設されたプーリーシャフト５８に取り付けられる。プーリー５７の中心軸は、前後方向に平行となっている。プーリー５７の中心軸方向の両端には、径方向外側（径外方向）に突出するフランジ片５９が設けられている。
【００３１】
昇降棚２の上部には、図１，５に示すように、支持体６が固定されている。支持体６は、昇降索４の長手方向の中間部分（つまり、第一端４３と第二端４４との間）に掛けられる。支持体６は、昇降棚２の左右方向の両端に固定されている。支持体６は、昇降棚２の上板２１の上面に固定されるブラケット６１と、このブラケット６１に軸支されるプーリー７８とを備えている。
【００３２】
ブラケット６１は、図６に示すように、固定台６２と、プーリー台７３とを備えている。固定台６２は、横板部６３と、第一縦板部６４と、第二縦板部６８とを備えている。横板部６３は、前後方向に長さを有し、左右方向に幅を有している。横板部６３は、昇降棚２の上板２１の上面に固着具を介して固定される。
【００３３】
第一縦板部６４は、横板部６３の幅方向における外側（外側ケース１の左右方向のうちの外側）の端縁から上方に向かって延出している。第一縦板部６４は、上下方向に高さを有し、前後方向に幅を有している。第一縦板部６４の外側の側面には、図７に示すように、ガイド部６５が設けられている。
【００３４】
ガイド部６５は、固定子６６と、付勢子６７とを備えている。付勢子６７は、コイルばね等によって固定子６６側に付勢されている。ガイド部６５は、図２に示すように、外側ケース１の左側板１４と右側板１３との内面にそれぞれ固定されたガイドレール１６を、両側（前後方向の両側）の固定子６６と付勢子６７とで挟むようにして取り付けられる。ガイド部６５は、ガイドレール１６を挟み込むことにより、昇降棚２が前後にがたつくのを防止する。なお、ガイドレール１６は、上下方向に長さを有しており、支持体６の移動範囲の全長に亙って設けられている。
【００３５】
第二縦板部６８は、図６に示すように、横板部６３の幅方向における内側（外側ケース１の左右方向のうちの中央側）の端縁から上方に向かって延出している。第二縦板部６８は、正面視逆Ｌ字状をしている。図５に示すように、第二縦板部６８の上面と、横板部６３との間には、回動軸６９が架設されている。回動軸６９は、上下軸廻りに回転自在となっている。回動軸６９の外周面には雄ねじ部７０が設けられている。回動軸６９の下端には、ネジ頭７１が設けられている。また、回動軸６９の上端には、第二縦板部６８からの抜け止めを行なう抜け止め部７２が設けられている。
【００３６】
この回動軸６９には、プーリー台７３が螺合されている。回動軸６９が回転すると、プーリー台７３は上下方向に移動する。つまり、本実施形態のブラケット６１にはプーリー台７３の高さ位置を調整可能な高さ調整機構が設けられている。
【００３７】
なお、昇降棚２の上板２１には、支持体６が昇降棚２に固定された状態で、回動軸６９に対応する箇所に連通孔２７が設けられている。回動軸６９の下端のネジ頭７１は、この連通孔２７を介して、回転操作できるように構成されている。
【００３８】
プーリー台７３は、図６に示すように、移動板部７４と、支持板部７５とを備えている。移動板部７４には、図５に示すように、ねじ孔７６が設けられている。ねじ孔７６は、回動軸６９に螺合される。支持板部７５は、移動板部７４の前後方向の両端から上方に向かって延出している。対向する支持板部７５間には、プーリーシャフト７７が架設されている。プーリー台７３は、このプーリーシャフト７７を介してプーリー７８を回転自在に支持する。
【００３９】
支持体６に取り付けられたプーリー７８は、昇降索４の中間部分の上を転動する。このプーリー７８は、昇降索４の第二端４４と固定体５のプーリー５７との間に配置される。言い換えると、プーリー７８は、昇降索４上において、固定体５に固定された固定端部と、固定体５のプーリー５７に支持された箇所との間で支持される。
【００４０】
このような構成の駆動装置３は、回転駆動源３１が駆動すると、次のようにして動作する。回転駆動源３１が駆動すると回転軸が回転し（これを正回転とする）、これにより、回転軸が昇降索４を巻き取ってゆく。すると、昇降索４は、長手方向に移動して支持体６を上昇させる。この結果、昇降棚２は上昇する。
【００４１】
一方、回転駆動源３１が駆動して回転軸が逆回転すると、回転軸が昇降索４を繰り出してゆく。すると、昇降索４は、長手方向に移動して支持体６を下降させる。この結果、昇降棚２は下降する。
【００４２】
本実施形態の昇降収納装置は、例えば、次のようにして組み立てられる。作業者は、外側ケース１の天板１５の下面に駆動装置３および固定体５を固定する。また、作業者は、昇降棚２の上板２１の上面に支持体６を固定する。
【００４３】
次いで、作業者は、駆動装置３の回転軸に連結された昇降索４の第二端４４側を、固定体５のプーリー５７の上側を通し、その後、支持体６のプーリー７８の下側を通す。その後、作業者は、昇降索４の第二端４４の連結孔４５を、シャフト５５を介して固定体５に連結する。
【００４４】
この点について、従来の昇降収納装置は、昇降索４の第二端４４が昇降棚２に固定されたブラケット６１に固定されていた。従来のブラケット６１は、図８に示すように、プーリー台７３に替えて、板状の固定金具８１が設けられていた。この固定金具８１には、昇降索４の第二端４４を挿通するスリット状の開口８２が設けられており、この開口８２に昇降索４の第二端４４を上方から挿通した状態で連結孔４５にシャフト５５を通すことで、昇降索４が固定される。この固定金具８１の前後方向の長さは、固定台６２の前後方向の長さに比べて小さいものであった。このため、シャフト５５の挿入箇所は、第一縦板部６４と第二縦板部６８と固定金具８１とに囲まれた狭い箇所で、尚且つ、入り組んだ奥側の箇所とならざるを得ず、作業者は、シャフト５５の抜き差しが困難であった。
【００４５】
これに対し、本実施形態の昇降収納装置は、貫通孔５４が固定体５の立面部５３に設けられており、作業者の指や手の届きやすい箇所に設けられているため、作業者はシャフト５５を中心とする作業スペースを確保しやすく、作業しやすい。
【００４６】
以上、説明したように、本実施形態の昇降収納装置は、外側ケース１と、昇降棚２と、駆動装置３とを備えている。外側ケース１は、下方に開口している。昇降棚２は、外側ケース１に対して昇降自在に設けられており、上昇時に外側ケース１内に収納され且つ下降時に収納物を出し入れ可能な状態となる。駆動装置３は、回転駆動源３１に連結された昇降索４を介して昇降棚２を昇降させる。昇降索４における回転駆動源３１側とは反対側の端部（第二端４４）は、外側ケース１内の上部に固定される。昇降棚２の上部には、昇降索４の長手方向の中間部分に掛けられる支持体６が固定される。そして、回転駆動源３１により昇降索４が巻き取られると、支持体６が上昇する。また、回転駆動源３１により昇降索４が巻き戻されると、支持体６が下降する。
【００４７】
このように、本実施形態の昇降収納装置によれば、昇降棚２の昇降をいわゆる動滑車のような構造を用いて行なうため、昇降索４の駆動源とは反対側の端部を、昇降棚２のブラケットとは異なる箇所に固定することができる。この結果、作業者の作業性を向上させることができる。
【００４８】
また、本実施形態の昇降収納装置によれば、支持体６がいわゆる動滑車のように動作するため、昇降索４に掛かる張力が、支持体６によって負荷される荷重の半分の荷重となる。この結果、回転駆動源３１に必要なトルクを小さくすることができ、また、昇降索４の数量を増やさなくても、昇降索４に掛かる張力を低減させることができる。これにより、回転駆動源３１としてモータを使用する場合には、トルクの小さい小型のモータを使用することも可能である。
【００４９】
また、本実施形態の昇降索４はベルトである。また、支持体６は、ベルト上を転動するプーリー７８と、このプーリー７８を回転自在に支持するブラケット６１とを備えている。ブラケット６１は、昇降棚２に固定されている。
【００５０】
このため、昇降棚２は、より効率よく昇降することができ、回転駆動源３１や昇降索４に掛かる負荷を低減させることができる。
【００５１】
また、本実施形態の昇降収納装置は、昇降棚２に固定された支持体６が、高さ調整機構を備えている。この高さ調整機構は、昇降索４と昇降棚２との間の距離を調整可能とさせる。
【００５２】
このため、本実施形態の昇降収納装置は、簡単に昇降棚２の水平度を微調整することができる。
【００５３】
なお、本実施形態の昇降収納装置は、支持体６にはプーリー７８が設けられていたが、このプーリー７８に替えて、軸状の部材が用いられてもよい。この軸状の部材は、昇降索４上を転動してもよいし、回転せずに昇降索４に摺接するものであってもよい。また、昇降索４として、チェーンが用いられる場合には、プーリーに替えてスプロケットが用いられてもよい。
【符号の説明】
【００５４】
１      外側ケース
１５    天板
２      昇降棚
３      駆動装置
３１    回転駆動源
４      昇降索
５      固定体
５７    プーリー
６      支持体
６１    ブラケット
６２    固定台
６５    ガイド部
６９    回動軸
７３    プーリー台
７８    プーリー
【図１】
2014226508.tif 000003
【図２】
2014226508.tif 000004
【図３】
2014226508.tif 000005
【図４】
2014226508.tif 000006
【図５】
2014226508.tif 000007
【図６】
2014226508.tif 000008
【図７】
2014226508.tif 000009
【図８】
2014226508.tif 000010